(57)【要約】【課題】血液浄化手段の稼動状況に応じて当該血液浄化手段又は供給手段の動作を行わせることができる血液浄化システムを提供する。【解決手段】患者に血液浄化治療を施すためのダイアライザ５が取り付けられる複数の監視装置１と、該監視装置１のそれぞれに透析液を供給可能な透析液供給装置２と、患者の治療スケジュールを入力及び記憶可能な中央監視システムＰとを具備した血液浄化システムにおいて、監視装置１又は透析液供給装置２に対して中央監視システムＰから治療スケジュールを送信し得るものとされ、当該治療スケジュールに基づき監視装置１又は透析液供給装置２が動作し得るものである。【選択図】図１
2014121616.tif 000002
【特許請求の範囲】
【請求項１】
患者に血液浄化治療を施すための血液浄化器が取り付けられる複数の血液浄化手段と、
該血液浄化手段のそれぞれに透析液、透析液原液、清浄水又は消毒液を供給可能な供給手段と、
患者の治療スケジュールを入力及び記憶可能な管理手段と、
を具備した血液浄化システムにおいて、
前記血液浄化手段又は供給手段に対して前記管理手段から前記治療スケジュールを送信し得るものとされ、当該治療スケジュールに基づき前記血液浄化手段又は供給手段が動作し得ることを特徴とする血液浄化システム。
【請求項２】
前記治療スケジュールは、血液浄化手段毎の血液浄化治療の有無又は頻度、治療開始時刻及び終了時刻、治療時間等、当該血液浄化手段の稼動状況に関わる情報から成ることを特徴とする請求項１記載の血液浄化システム。
【請求項３】
前記血液浄化手段に対し前記管理手段から前記治療スケジュールが送信されるとともに、当該血液浄化手段は、送信された治療スケジュールに応じて当該血液浄化手段の電源のオン・オフを切り換え可能とされたことを特徴とする請求項１又は請求項２記載の血液浄化システム。
【請求項４】
前記血液浄化手段に対し前記管理手段から前記治療スケジュールが送信されるとともに、当該血液浄化手段は、送信された治療スケジュールに応じて洗浄又は消毒時間を変更可能とされたことを特徴とする請求項１〜３の何れか１つに記載の血液浄化システム。
【請求項５】
前記供給手段に対し前記管理手段から前記治療スケジュールが送信されるとともに、当該供給手段は、送信された治療スケジュールに応じて透析液原液又は透析液の作製開始時刻を変更可能とされたことを特徴とする請求項１〜４の何れか１つに記載の血液浄化システム。
【請求項６】
前記供給手段は、清浄水及び透析液原液を用いて所定濃度の透析液を作製し得る透析液供給装置を有して成るとともに、前記血液浄化手段は、当該透析液供給装置から供給された透析液を前記血液浄化器に供給する監視装置から成ることを特徴とする請求項１〜５の何れか１つに記載の血液浄化システム。
【請求項７】
前記供給手段は、清浄水を作製し得る水処理装置を有して成るとともに、前記血液浄化手段は、前記水処理装置から供給された清浄水を用いて所定濃度の透析液を作製し、前記血液浄化器に供給する個人用透析装置から成ることを特徴とする請求項１〜５の何れか１つに記載の血液浄化システム。
【請求項８】
前記供給手段は、清浄水を作製し得る水処理装置、及び該水処理装置で作製された清浄水を用いて所定濃度の透析液原液を作製し得る溶解装置を有して成るとともに、前記血液浄化手段は、当該溶解装置及び水処理装置から供給された透析液原液及び清浄水を用いて所定濃度の透析液を作製し、前記血液浄化器に供給する個人用透析装置から成ることを特徴とする請求項１〜５の何れか１つに記載の血液浄化システム。
【請求項９】
前記管理手段と前記供給手段又は血液浄化手段とは双方向に通信可能とされたことを特徴とする請求項１〜８の何れか１つに記載の血液浄化システム。
【発明の詳細な説明】
【技術分野】
【０００１】
本発明は、患者に血液浄化治療を施すための血液浄化器が取り付けられる複数の血液浄化手段と、該血液浄化手段のそれぞれに透析液又は透析液原液を供給可能な供給手段とを具備した血液浄化システムに関するものである。
【背景技術】
【０００２】
一般に、血液浄化システムは、病院等医療現場における機械室に透析液供給装置を設置しておき、これとは別の場所である透析室（治療室）に透析用監視装置を設置するとともに、これら透析液供給装置と透析用監視装置とを配管で連結させて構成されている。透析液供給装置は、清浄水が供給されて所定濃度の透析液を作製するものである一方、透析用監視装置は、患者に透析治療を施すための血液浄化器（ダイアライザ）の数に対応して複数設置され、透析液供給装置で作製された透析液を配管を介して導入し、血液浄化器に供給する。
【０００３】
すなわち、機械室に設置された透析液供給装置から透析室に設置された複数の透析用監視装置に分配して透析液を送液し、それぞれにおいてダイアライザに透析液を供給するよう構成されているのである。このように機械室で作製された透析液を各透析用監視装置に分配する血液浄化システムは、通常、「透析治療用セントラルシステム」と称される一方、血液浄化器毎（即ち透析治療患者の各々）に透析液の作製を行い得るものは、通常、「個人用透析装置」と称される。
【０００４】
しかるに、従来より、透析液供給装置と各透析用監視装置とを電気的に接続しておき、透析治療工程時、配管の洗浄工程又は消毒工程時において、当該透析液供給装置（供給手段）から各透析用監視装置（血液浄化手段）に対して電気信号（工程信号）を送信するものが提案されている（例えば、特許文献１参照）。これにより、各透析用監視装置は、所定の電気信号（工程信号）を受信すると、その信号に応じた動作（ポンプの駆動や電磁弁の開閉等）が行われることとなる。
【先行技術文献】
【特許文献】
【０００５】
【特許文献１】特開２００４−１６４１２号公報
【発明の概要】
【発明が解決しようとする課題】
【０００６】
しかしながら、上記従来の血液浄化システムにおいては、以下の問題があった。
すなわち、病院等医療現場においては、通常、予想される最大の患者数を受け入れ可能とすべく多数の透析用監視装置（血液浄化手段）が設置されていることから、当該透析用監視装置の稼動状況にばらつきが生じてしまうのであるが、従来の血液浄化システムにおいては、透析液供給装置（供給手段）から各透析用監視装置に対して電気信号を送信し、一律な動作を行わせるものであったため、監視装置の稼動状況に応じて当該監視装置又は透析液供給装置の動作を行わせることが困難であるという問題があった。かかる問題は、血液浄化手段が個人用透析装置とされたものにおいても同様である。
【０００７】
本発明は、このような事情に鑑みてなされたもので、血液浄化手段の稼動状況に応じて当該血液浄化手段又は供給手段の動作を行わせることができる血液浄化システムを提供することにある。
【課題を解決するための手段】
【０００８】
請求項１記載の発明は、患者に血液浄化治療を施すための血液浄化器が取り付けられる複数の血液浄化手段と、該血液浄化手段のそれぞれに透析液、透析液原液、清浄水又は消毒液を供給可能な供給手段と、患者の治療スケジュールを入力及び記憶可能な管理手段とを具備した血液浄化システムにおいて、前記血液浄化手段又は供給手段に対して前記管理手段から前記治療スケジュールを送信し得るものとされ、当該治療スケジュールに基づき前記血液浄化手段又は供給手段が動作し得ることを特徴とする。
【０００９】
請求項２記載の発明は、請求項１記載の血液浄化システムにおいて、前記治療スケジュールは、血液浄化手段毎の血液浄化治療の有無又は頻度、治療開始時刻及び終了時刻、治療時間等、当該血液浄化手段の稼動状況に関わる情報から成ることを特徴とする。
【００１０】
請求項３記載の発明は、請求項１又は請求項２記載の血液浄化システムにおいて、前記血液浄化手段に対し前記管理手段から前記治療スケジュールが送信されるとともに、当該血液浄化手段は、送信された治療スケジュールに応じて当該血液浄化手段の電源のオン・オフを切り換え可能とされたことを特徴とする。
【００１１】
請求項４記載の発明は、請求項１〜３の何れか１つに記載の血液浄化システムにおいて、前記血液浄化手段に対し前記管理手段から前記治療スケジュールが送信されるとともに、当該血液浄化手段は、送信された治療スケジュールに応じて洗浄又は消毒時間を変更可能とされたことを特徴とする。
【００１２】
請求項５記載の発明は、請求項１〜４の何れか１つに記載の血液浄化システムにおいて、前記供給手段に対し前記管理手段から前記治療スケジュールが送信されるとともに、当該供給手段は、送信された治療スケジュールに応じて透析液原液又は透析液の作製開始時刻を変更可能とされたことを特徴とする。
【００１３】
請求項６記載の発明は、請求項１〜５の何れか１つに記載の血液浄化システムにおいて、前記供給手段は、清浄水及び透析液原液を用いて所定濃度の透析液を作製し得る透析液供給装置を有して成るとともに、前記血液浄化手段は、当該透析液供給装置から供給された透析液を前記血液浄化器に供給する監視装置から成ることを特徴とする。
【００１４】
請求項７記載の発明は、請求項１〜５の何れか１つに記載の血液浄化システムにおいて、前記供給手段は、清浄水を作製し得る水処理装置を有して成るとともに、前記血液浄化手段は、前記水処理装置から供給された清浄水を用いて所定濃度の透析液を作製し、前記血液浄化器に供給する個人用透析装置から成ることを特徴とする。
【００１５】
請求項８記載の発明は、請求項１〜５の何れか１つに記載の血液浄化システムにおいて、前記供給手段は、清浄水を作製し得る水処理装置、及び該水処理装置で作製された清浄水を用いて所定濃度の透析液原液を作製し得る溶解装置を有して成るとともに、前記血液浄化手段は、当該溶解装置及び水処理装置から供給された透析液原液及び清浄水を用いて所定濃度の透析液を作製し、前記血液浄化器に供給する個人用透析装置から成ることを特徴とする。
【００１６】
請求項９記載の発明は、請求項１〜８の何れか１つに記載の血液浄化システムにおいて、前記管理手段と前記供給手段又は血液浄化手段とは双方向に通信可能とされたことを特徴とする。
【発明の効果】
【００１７】
請求項１の発明によれば、血液浄化手段又は供給手段に対して管理手段から治療スケジュールを送信し得るものとされ、当該治療スケジュールに基づき血液浄化手段又は供給手段が動作し得るので、血液浄化手段の稼動状況に応じて当該血液浄化手段又は供給手段の動作を行わせることができる。
【００１８】
請求項２の発明によれば、治療スケジュールは、血液浄化手段毎の血液浄化治療の有無又は頻度、治療開始時刻及び終了時刻、治療時間等、当該血液浄化手段の稼動状況に関わる情報から成るので、より精度よく血液浄化手段の稼動状況に応じて当該血液浄化手段又は供給手段の動作を行わせることができる。
【００１９】
請求項３の発明によれば、血液浄化手段に対し管理手段から治療スケジュールが送信されるとともに、当該血液浄化手段は、送信された治療スケジュールに応じて当該血液浄化手段の電源のオン・オフを切り換え可能とされたので、電力の消費を抑制でき、ランニングコストを低減させることができる。
【００２０】
請求項４の発明によれば、血液浄化手段に対し管理手段から治療スケジュールが送信されるとともに、当該血液浄化手段は、送信された治療スケジュールに応じて洗浄又は消毒時間を変更可能とされたので、洗浄水又は消毒液の消費を抑制でき、ランニングコストを低減させることができる。
【００２１】
請求項５の発明によれば、供給手段に対し管理手段から治療スケジュールが送信されるとともに、当該供給手段は、送信された治療スケジュールに応じて透析液原液又は透析液の作製開始時刻を変更可能とされたので、透析治療開始直前に透析液原液又は透析液を作製することができ、当該透析液原液又は透析液の組成を安定させることができる。
【００２２】
請求項６の発明によれば、供給手段は、清浄水及び透析液原液を用いて所定濃度の透析液を作製し得る透析液供給装置を有して成るとともに、血液浄化手段は、当該透析液供給装置から供給された透析液を血液浄化器に供給する監視装置から成るので、セントラルシステムに適用することができる。
【００２３】
請求項７の発明によれば、供給手段は、清浄水を作製し得る水処理装置を有して成るとともに、血液浄化手段は、水処理装置から供給された清浄水を用いて所定濃度の透析液を作製し、血液浄化器に供給する個人用透析装置から成るので、当該個人用透析装置を有した血液浄化システムに適用することができる。
【００２４】
請求項８の発明によれば、供給手段は、清浄水を作製し得る水処理装置、及び該水処理装置で作製された清浄水を用いて所定濃度の透析液原液を作製し得る溶解装置を有して成るとともに、血液浄化手段は、当該溶解装置及び水処理装置から供給された透析液原液及び清浄水を用いて所定濃度の透析液を作製し、血液浄化器に供給する個人用透析装置から成るので、当該個人用透析装置を有した血液浄化システムに適用することができる。
【００２５】
請求項９の発明によれば、管理手段と供給手段又は血液浄化手段とは双方向に通信可能とされたので、管理手段と供給手段又は血液浄化手段との間で種々情報を通信させることができ、より適切且つ安全な血液浄化治療を行わせることができる。
【図面の簡単な説明】
【００２６】
【図１】本発明の実施形態に係る血液浄化システムを示す全体模式図
【図２】同血液浄化システムにおける監視装置の構成を示す模式図
【図３】本発明の他の実施形態に係る血液浄化システムを示す全体模式図
【図４】本発明の他の実施形態に係る血液浄化システムを示す全体模式図
【発明を実施するための形態】
【００２７】
以下、本発明の実施形態について図面を参照しながら具体的に説明する。
本実施形態に係る血液浄化システムは、透析液原液から所定濃度の透析液を作製するとともに、その透析液を複数の透析用監視装置に供給するためのものであり、図１に示すように、病院等医療現場における透析室Ａ（治療室）に設置された複数の監視装置１と、当該医療現場における透析室Ａとは別の場所である機械室Ｂに設置された透析液供給装置２、溶解装置３及び水処理装置４と、事務管理等を行う管理室等に設置された中央監視システムＰとから主に構成される。
【００２８】
監視装置１（血液浄化手段）は、患者に血液浄化治療（血液透析治療）を施すためのダイアライザ５（血液浄化器）が取り付けられ、透析液供給装置２から供給された透析液を当該ダイアライザ５に供給するためのもので、透析室Ａに複数設置されている。かかる監視装置１は、血液透析治療や他の制御内容（洗浄又は消毒）の指示及び所定の表示を行わせ得るタッチパネル１ａが配設されている。
【００２９】
より具体的には、透析室Ａに設置された複数の監視装置１の各々は、図２に示すように、透析液供給装置２から延設された配管Ｌ１が引き込まれるとともに、図示しない排液手段に接続された配管Ｌ２を具備し、これら配管Ｌ１、Ｌ２に跨って複式ポンプ１２が配設されて構成されている。このうち監視装置１内における配管Ｌ１には、当該配管Ｌ１を流れる液体の流量を検出する流量検出センサ７、当該液体の給液圧を検出する液圧検出センサ８、及び当該液体の電導度（濃度）を検出する電導度検出センサ９が配設されている。
【００３０】
また、複式ポンプ１２からは、配管Ｌ１と連通した透析液導入ラインＬ４と、配管Ｌ２と連通した透析液排出ラインＬ５が延設されており、カプラＣを介して当該透析液導入ラインＬ４の先端をダイアライザ５の透析液導入口５ａに接続し得るとともに、カプラＣを介して当該透析液排出ラインＬ５の先端をダイアライザ５の透析液排出口５ｂに接続し得るよう構成されている。このように、各監視装置１には、それぞれ患者に応じたダイアライザ５が取り付けられるようになっており、当該ダイアライザ５には、患者の血液を体外循環させる血液回路６が接続されることとなる。
【００３１】
複式ポンプ１２のポンプ室は、図示しない単一のプランジャにより、配管Ｌ１に接続された送液側ポンプ室と、配管Ｌ２に接続された排出側ポンプ室とに隔成されており、当該プランジャが往復動することにより、送液側ポンプ室に送られた透析液又は洗浄液をダイアライザ５に供給するとともに、ダイアライザ５内の透析液を排出側ポンプ室に吸入するよう構成されている。さらに、監視装置１内には、複式ポンプ１２をバイパスしつつ配管Ｌ２と透析液排出ラインＬ５とを連通する配管Ｌ３が形成されており、この配管Ｌ３の途中に除水ポンプ１３が配設されている。かかる除水ポンプ１３を駆動させることにより、ダイアライザ５内を流れる患者の血液に対して除水を行わせることが可能とされる。
【００３２】
なお、複式ポンプ１２に代えて、所謂チャンバ形式のものとしてもよいとともに、流量検出センサ７、液圧検出センサ８或いは電導度検出センサ９等のセンサ類は、任意のものを配設してもよく若しくは他の汎用的なものを加えるようにしてもよい。さらに、本実施形態においては、当該センサ類を配管Ｌ１に配設するようにしているが、他の配管（例えば配管Ｌ２）に配設するものとしてもよい。例えば流量検出センサ７、液圧検出センサ８或いは電導度検出センサ９等のセンサ類を配管Ｌ１又は配管Ｌ２の何れか一方に配設させたもの或いは両方に配設させたものとしてもよい。
【００３３】
水処理装置４は、内部に濾過膜等を内在したモジュール（浄化濾過器）を具備し、原水を浄化して清浄水（ＲＯ水）を得るためのものであり、配管Ｌ８を介して溶解装置３と連結されて当該溶解装置３に清浄水を供給し得るとともに、配管Ｌ６、Ｌ７を介して透析液供給装置２と連結されて当該透析液供給装置２に清浄水を供給し得るよう構成されている。かかる水処理装置４で得られた清浄水は、透析液供給装置２にて透析液を作製する際に用いられたり或いは当該透析液供給装置２や監視装置１の配管等を洗浄する洗浄水としても用いられる。なお、水処理装置４を図示しない個人用透析装置や粉末状透析用薬剤を溶解する溶解装置等と連結し、これらに清浄水を供給するよう構成してもよい。
【００３４】
また、水処理装置４は、水処理に関する制御内容の指示及び所定の表示を行わせ得るタッチパネル４ａが配設されているとともに、後述するＬＡＮケーブルβと電気的に接続されるインターフェイス部１６及び制御部１７を具備している。そして、インターフェイス部１６にて透析液供給装置２や中央監視システムＰ（管理手段）等から所定の情報を受信すると、その情報に基づいて制御部１７による所定の動作（清浄水の作製等）が行われるようになっている。
【００３５】
溶解装置３は、例えば所定量の透析用粉体薬剤が投入されるとともに、その透析用粉体薬剤と水処理装置４から供給された清浄水とを混合（ミキシング）して所定濃度の透析液原液を作製するためのものである。この溶解装置３は、透析液原液作製に関する制御内容の指示及び所定の表示を行わせ得るタッチパネル３ａが配設されているとともに、後述するＬＡＮケーブルβと電気的に接続されるインターフェイス部１８及び制御部１９を具備している。そして、インターフェイス部１８にて透析液供給装置２や中央監視システムＰ（管理手段）等から所定の情報を受信すると、その情報に基づいて制御部１９による所定の動作（透析液原液の作製等）が行われるようになっている。なお、溶解装置３は、配管Ｌ６を介して透析液供給装置２と接続されており、作製された透析液原液を透析液供給装置２に供給し得るよう構成されている。
【００３６】
しかして、透析液供給装置２、溶解装置３、水処理装置４及びや中央監視システムＰ（管理手段）は、ＬＡＮ（ローカルエリアネットワーク：構内通信網）にて接続されており、双方向の情報の通信が可能とされている。かかるＬＡＮは、本実施形態の如くＬＡＮケーブルβを用いるもの（有線）に限らず、無線で双方向の情報の通信が可能なもの（無線ＬＡＮ）であってもよい。なお、当該ＬＡＮに代えて、透析液供給装置２から溶解装置３及び水処理装置４に対して一方的に電気信号（工程信号）を送信し得るものとしてもよい。
【００３７】
透析液供給装置２（供給手段）は、水処理装置４で得られた清浄水及び溶解装置３で作製された透析液原液を用いて所定濃度の透析液を作製し得るとともに、監視装置１（血液浄化手段）のそれぞれに作製した透析液を供給可能なものである。すなわち、透析液供給装置２は、配管Ｌ１を介して複数の監視装置１のそれぞれと接続されており、かかる配管Ｌ１を介して監視装置１のそれぞれに透析液、洗浄水及び消毒液等の所望の液体を供給し得るよう構成されているのである。なお、透析液供給装置２には、透析液供給や洗浄又は消毒に関する制御内容の指示及び所定の表示を行わせ得るタッチパネル２ａが配設されている。
【００３８】
中央監視システムＰ（管理手段）は、患者の治療スケジュールを入力可能な入力手段（例えばキーボード等）と、当該入力された治療スケジュールを記憶可能な記憶手段（例えばメモリ等）とを具備したコンピュータ等から成るものである。この中央監視システムＰにて入力及び記憶される治療スケジュールは、監視装置１（血液浄化手段）毎の血液透析治療（血液浄化治療）の有無又は頻度、治療開始時刻及び終了時刻、治療時間等、当該監視装置１の稼動状況に関わる情報から成る。
【００３９】
より具体的には、中央監視システムＰは、血液浄化治療に際しての予約内容や予約の変更内容（治療開始時刻及び終了時刻）、その患者に必要な治療時間等を操作者が入力及び記憶可能とされた予約管理システムを兼用するもので、その記憶された情報に基づいて所定の日の治療スケジュールを設定可能とされたものである。そして、このように設定された治療スケジュールに基づいて監視装置１を稼動させることにより、血液浄化治療がスムーズに行われるようになっている。
【００４０】
ここで、本実施形態に係る血液浄化システムにおいては、中央監視システムＰとそれぞれの監視装置１（血液浄化手段）及び透析液供給装置２（供給手段）とが、ＬＡＮ（ローカルエリアネットワーク：構内通信網）にて接続されており、双方向の情報の通信が可能とされている。すなわち、中央監視システムＰとそれぞれの監視装置１、中央監視システムＰと透析液供給装置２、及びそれぞれの監視装置１と透析液供給装置２とがＬＡＮケーブルαにて接続されていて、情報の通信が互いに可能とされているのである。
【００４１】
なお、本実施形態においては、中央監視システムＰと溶解装置３及び水処理装置４とが、ＬＡＮ（ローカルエリアネットワーク：構内通信網）にて接続されており、双方向の情報の通信が可能とされている。すなわち、中央監視システムＰは、それぞれの監視装置１及び透析液供給装置２とＬＡＮケーブルαにて接続されているのに加え、溶解装置３及び水処理装置４ともＬＡＮケーブルβにて接続されており、情報の通信が互いに可能とされているのである。
【００４２】
これにより、本血液浄化システムにおいては、監視装置１又は透析液供給装置２に対して中央監視システムＰから治療スケジュールを送信し得るものとされ、当該治療スケジュールに基づき監視装置１又は透析液供給装置２が動作し得る構成とされている。また、本実施形態においては、中央監視システムＰから複数の監視装置１の個々に治療スケジュールを送信し得るよう構成されていることから、当該治療スケジュールに応じて個々の監視装置１を動作させ得るよう構成されている。
【００４３】
すなわち、中央監視システムＰと、透析液供給装置２と、それぞれの監視装置１との間は、ＬＡＮケーブルαを介在してＬＡＮ接続されているとともに、透析液供給装置２にはＬＡＮケーブルαを介して中央監視システムＰ及び監視装置１との間で通信するためのインターフェイス部１４及び制御部１５が配設される一方、監視装置１のそれぞれにはＬＡＮケーブルαを介して中央監視システムＰ及び透析液供給装置２との間で通信するためのインターフェイス部１０及び制御部１１（図２参照）が配設されているのである。なお、かかるＬＡＮは、本実施形態の如くＬＡＮケーブルαを用いるもの（有線）に限らず、無線で双方向の情報の通信が可能なもの（無線ＬＡＮ）であってもよい。
【００４４】
そして、透析液供給装置２においては、インターフェイス部１４にて中央監視システムＰ又は監視装置１から所定の情報を受信すると、その情報に基づいて制御部１５による所定の動作（透析液の作製等）が行われるとともに、当該インターフェイス部１４を介して所定の情報を中央監視システムＰ及び監視装置１に送信し得るようになっている。また、監視装置１においては、インターフェイス部１０にて中央監視システムＰ又は透析液供給装置２から所定の情報を受信すると、その情報に基づいて制御部１１による所定の動作（治療前のプライミング、血液透析治療、返血、洗浄・消毒等）が行われるとともに、当該インターフェイス部１０を介して所定の情報を中央監視システムＰ及び透析液供給装置２に送信し得るようになっている。
【００４５】
特に、本実施形態においては、中央監視システムＰが保持する治療スケジュール（厳密には治療スケジュールを含む情報）を当該中央監視システムＰから各監視装置１又は透析液供給装置２に対して送信し得るよう構成されているとともに、当該各監視装置１又は透析液供給装置２は、中央監視システムＰから送信された治療スケジュールに基づいて動作し得るよう構成されている。以下に具体的構成について説明する。
【００４６】
本実施形態においては、監視装置１に対し中央監視システムＰから治療スケジュールが送信されるとともに、当該監視装置１は、送信された治療スケジュールに応じて当該監視装置１の電源のオン・オフを切り換え可能とされている。すなわち、治療スケジュールを参照すれば、監視装置１のうち稼動するものと稼動しないものとを判別することができることから、個々の監視装置１が制御手段１１にて治療スケジュールに基づき稼動するのか否かを判別し、稼動する場合は、電源のオン状態を維持して通常の治療工程を行わせるとともに、稼動しない場合は、電源をオフして電力供給を自動的に遮断するようになっているのである。
【００４７】
この場合、監視装置１に対し中央監視システムＰから治療スケジュールが送信されるとともに、当該監視装置１は、送信された治療スケジュールに応じて稼動状況を判別して当該監視装置１の電源のオン・オフを切り換え可能とされたので、電力の消費を抑制でき、ランニングコストを低減させることができる。また、本実施形態によれば、各監視装置１が稼動状況を判断して自動的に電源のオン・オフを行うので、作業員が稼動状況に応じて手動で電源のオン・オフを行うものに比べ、作業性を大幅に向上させることができる。
【００４８】
また、本実施形態においては、監視装置１に対し中央監視システムＰから治療スケジュールが送信されるとともに、当該監視装置１は、送信された治療スケジュールに応じて洗浄又は消毒時間を変更可能とされている。すなわち、治療スケジュールを参照すれば、監視装置１のうち稼動するものや稼動しないもの、及び稼動の程度を判別することができることから、個々の監視装置１が制御手段１１にて治療スケジュールに基づき稼動状況を判別し、稼動する場合或いは稼動が多い場合は、洗浄又は消毒時間を長く設定するとともに、稼動しない場合或いは稼動が少ない場合は、洗浄又は消毒時間を短く設定することができるのである。
【００４９】
この場合、監視装置１に対し中央監視システムＰから治療スケジュールが送信されるとともに、当該監視装置１は、送信された治療スケジュールに応じて稼動状況を判別して洗浄又は消毒時間を変更可能とされたので、洗浄水又は消毒液の消費を抑制でき、ランニングコストを低減させることができる。また、本実施形態によれば、各監視装置１が稼動状況を判断して自動的に洗浄又は消毒時間を設定するので、作業員が稼動状況に応じて手動で洗浄又は消毒時間を設定するものに比べ、作業性を大幅に向上させることができる。
【００５０】
さらに、本実施形態においては、透析液供給装置２に対し中央監視システムＰから治療スケジュールが送信されるとともに、当該透析液供給装置２は、送信された治療スケジュールに応じて透析液原液の作製開始時刻を変更可能とされている。すなわち、治療スケジュールを参照すれば、監視装置１による治療開始時刻（稼動開始時刻）を判別することができることから、透析液供給装置２が制御手段１５にて治療スケジュールに基づき稼動開始時刻を判別し、その時刻の直前に透析液原液を作製するよう溶解装置３及び水処理装置４に指示を出すことができるのである。
【００５１】
この場合、透析液供給装置２に対し中央監視システムＰから治療スケジュールが送信されるとともに、当該透析液供給装置２は、送信された治療スケジュールに応じて稼動開始時刻を判別して透析液原液の作製開始時刻を変更可能とされたので、透析治療開始直前に透析液原液を作製することができ、当該透析液原液の組成を安定させることができる。すなわち、透析治療開始直前に透析液原液を作製するようにすれば、透析液原液が作製された後の当該治療が開始されるまでの時間を短くすることができ、当該透析液原液の組成が変化してしまうのを抑制することができるのである。
【００５２】
なお、透析液供給装置２は、中央監視システムＰから送信された治療スケジュールに応じて稼動開始時刻を判別して透析液の作製開始時刻を変更可能とするものとしてもよい。この場合であっても、透析治療開始直前に透析液を作製することができ、当該透析液の組成を安定させることができる。すなわち、透析治療開始直前に透析液を作製するようにすれば、透析液が作製された後の当該治療が開始されるまでの時間を短くすることができ、当該透析液の組成が変化してしまうのを抑制することができるのである。
【００５３】
上記実施形態によれば、監視装置１又は透析液供給装置２に対して中央監視システムＰから治療スケジュールを送信し得るものとされ、当該治療スケジュールに基づき監視装置１又は透析液供給装置２が動作し得るので、監視装置１の稼動状況に応じて当該監視装置１又は透析液供給装置２の動作を行わせることができる。特に、本実施形態においては、送信された治療スケジュールに基づいて各監視装置１又は透析液供給装置２が個々に判断して動作を行うものとされているので、安全性をより向上させることができる。
【００５４】
また、治療スケジュールは、監視装置１毎の血液浄化治療の有無又は頻度、治療開始時刻及び終了時刻、治療時間等、当該血液浄化手段の稼動状況に関わる情報から成るので、より精度よく監視装置１の稼動状況に応じて当該監視装置１又は透析液供給装置２の動作を行わせることができる。なお、中央監視システムＰが保持する治療スケジュールに加え、当該中央監視システムＰが保持する他の情報も監視装置１又は透析液供給装置２に送信するよう構成してもよい。
【００５５】
さらに、本実施形態によれば、供給手段は、清浄水及び透析液原液を用いて所定濃度の透析液を作製し得る透析液供給装置２から成るとともに、血液浄化手段は、当該透析液供給装置２から供給された透析液をダイアライザ５（血液浄化器）に供給する監視装置１から成るので、セントラルシステムに適用することができる。また、中央監視システムＰと、監視装置１又は透析液供給装置２とは双方向に通信可能とされたので、当該中央監視システムＰ、監視装置１及び透析液供給装置２との間で種々情報を通信させることができ、より適切且つ安全な血液浄化治療を行わせることができる。
【００５６】
以上、本実施形態に係る血液浄化システムついて説明したが、本発明はこれに限定されるものではなく、例えば上記の如きセントラルシステムから成るものに代えて、図３に示すように、供給手段は、清浄水を作製し得る水処理装置４を有して成るとともに、血液浄化手段は、水処理装置４から供給された清浄水を用いて所定濃度の透析液を作製し、ダイアライザ５（血液浄化器）に供給する個人用透析装置２０から成るものに適用してもよい。この場合、個人用透析装置２０は、それぞれ透析液原液或いは消毒液を収容したタンクＴ１を具備するとともに、水処理装置４と配管Ｌ９で連結され、当該水処理装置４から送液された清浄水及びタンクＴ１内の透析液原液を用いて所定濃度の透析液を作製し或いは希釈した消毒液を作製し得るようになっている。
【００５７】
すなわち、図１で示される実施形態においては、監視装置１のそれぞれに透析液を供給可能な透析液供給装置２（溶解装置３及び水処理装置４を含む）にて供給手段を構成させているが、血液浄化手段がダイアライザ５（血液浄化器）を有し、タンクＴ１内の透析液原液から透析液を作製可能な個人用透析装置２０から成る血液浄化システムとしてもよいのである。
【００５８】
さらに、例えば上記の如きセントラルシステムから成るものに代えて、図４に示すように、供給手段は、清浄水を作製し得る水処理装置４、及び該水処理装置４で作製された清浄水を用いて所定濃度の透析液原液を作製し得る溶解装置３を有して成るとともに、血液浄化手段は、当該溶解装置３及び水処理装置４から供給された透析液原液及び清浄水を用いて所定濃度の透析液を作製し、ダイアライザ５（血液浄化器）に供給する個人用透析装置２１から成るものに適用してもよい。この場合、個人用透析装置２１は、それぞれ消毒液を収容したタンクＴ２を具備するとともに、溶解装置３及び水処理装置４と配管Ｌ１０、Ｌ１１でそれぞれ連結され、当該溶解装置３及び水処理装置４から送液された透析液原液及び清浄水を用いて所定濃度の透析液を作製し或いは希釈した消毒液を作製し得るようになっている。
【００５９】
すなわち、図１で示される実施形態においては、監視装置１のそれぞれに透析液を供給可能な透析液供給装置２（溶解装置３及び水処理装置４を含む）にて供給手段を構成させているが、血液浄化手段がダイアライザ５（血液浄化器）を有し、供給手段側から送液された透析液原液及び清浄水から透析液を作製可能な個人用透析装置２１から成る血液浄化システムとしてもよいのである。
【００６０】
また、本実施形態においては、中央監視システムＰと監視装置１及び透析液供給装置２とはＬＡＮ接続されて双方向に通信可能とされているが、監視装置１又は透析液供給装置２に対して中央監視システムＰから治療スケジュールを送信し得るものであれば足り、中央監視システムＰから監視装置１又は透析液供給装置２に一方的に治療スケジュールが送信されるものとしてもよい。なお、本実施形態においては、血液透析治療を行うシステムとされているが、他の血液浄化治療を行う血液浄化システムに適用するようにしてもよい。
【産業上の利用可能性】
【００６１】
血液浄化手段又は供給手段に対して管理手段から治療スケジュールを送信し得るものとされ、当該治療スケジュールに基づき血液浄化手段又は供給手段が動作し得る血液浄化システムであれば、他の機能が付加されたもの等にも適用することができる。
【符号の説明】
【００６２】
１  監視装置（血液浄化手段）
２  透析液供給装置（供給手段）
３  溶解装置
４  水処理装置
５  ダイアライザ（血液浄化器）
６  血液回路
７  流量検出センサ
８  液圧検出センサ
９  電導度検出センサ
１０  インターフェイス部
１１  制御部
１２  複式ポンプ
１３  除水ポンプ
１４  インターフェイス部
１５  制御部
１６  インターフェイス部
１７  制御部
１８  インターフェイス部
１９  制御部
Ｐ  中央監視システム（管理手段）
【図１】
2014121616.tif 000003
【図２】
2014121616.tif 000004
【図３】
2014121616.tif 000005
【図４】
2014121616.tif 000006